(57)【要約】【課題】ユーザが撮影する時の利便性を向上する。【解決手段】撮影装置は、制御部を備え、前記制御部は、後の撮影が有ることを示す予兆情報が検出された場合に、前記撮影装置の機能の少なくとも一部を制限する機能制限を示す機能制限情報に基づいて、前記後の撮影前から、前記機能制限情報が示す機能制限を行う。【選択図】図１
2020031383.tif 000002
【特許請求の範囲】
【請求項１】
制御部を備える撮影装置であって、
前記制御部は、後の撮影が有ることを示す予兆情報を検出した場合に、前記撮影装置の機能の少なくとも一部を制限する機能制限を示す機能制限情報に基づいて、前記後の撮影前から、前記機能制限情報が示す機能制限を行う、
撮影装置。
【請求項２】
前記制御部は、ユーザのスケジュール情報に基づいて、後の撮影が有ることを示す予兆情報を検出する、
請求項１に記載の撮影装置。
【請求項３】
前記制御部は、ユーザの行動に基づいて、後の撮影が有ることを示す予兆情報を検出する、
請求項１または請求項２に記載の撮影装置。
【請求項４】
前記制御部は、撮影時に前記撮影装置が使用する機能情報に基づいて、前記機能制限を行う、
請求項１から請求項３のいずれか一項に記載の撮影装置。
【請求項５】
前記制御部は、
前記機能制限として、通信機能を優先的に制限する、
請求項１から請求項４のいずれか一項に記載の撮影装置。
【請求項６】
温度を示す温度情報を検出する検出部をさらに備え、
前記制御部は、
前記温度情報に基づいて、前記機能制限を更新する、
請求項１から請求項５のいずれか一項に記載の撮影装置。
【請求項７】
前記制御部は、
前記温度情報に基づいて、前記撮影している風景を表示部に表示させる画像の解像度を設定する、
請求項６に記載の撮影装置。
【請求項８】
制御ステップを備える情報処理方法であって、
前記制御ステップは、後の撮影が有ることを示す予兆情報を検出した場合に、撮影装置の機能の少なくとも一部を制限する機能制限を示す機能制限情報に基づいて、前記後の撮影前から、前記機能制限情報が示す機能制限を行う、
情報処理方法。
【請求項９】
制御処理を備える情報処理プログラムであって、
前記制御処理は、後の撮影が有ることを示す予兆情報を検出した場合に、撮影装置の機能の少なくとも一部を制限する機能制限を示す機能制限情報に基づいて、前記後の撮影前から、前記機能制限情報が示す機能制限を行う、
情報処理プログラム。
【発明の詳細な説明】
【技術分野】
【０００１】
本発明は、撮影装置、情報処理方法、及び情報処理プログラムに関する。
【背景技術】
【０００２】
近年、カメラ機能の搭載された電子機器が普及している。
【０００３】
例えば、特許文献１には、カメラ本体の温度を測定する温度測定手段と、前記温度測定手段による測定温度に基づいて、カメラの動作のうち消費電力の高い動作を禁止し、消費電力の低い動作を実行可能に制御することについて記載されている。
【先行技術文献】
【特許文献】
【０００４】
【特許文献１】特開２００７−０２８４２５号広報
【発明の概要】
【発明が解決しようとする課題】
【０００５】
しかしながら、特許文献１記載の技術では、例えば、動画撮影モードが禁止され、動画が撮影できなくなる。ユーザは、いつ動作を禁止されるかが分からず、動画を撮影したいときに、動画を撮影できなくなることがあった。
つまり、撮影装置の機能をユーザが使用したいときに、その機能を使用できない、という問題があった。
【０００６】
本発明は上記の点に鑑みてなされたものであり、その目的は、ユーザが使用したいときに機能を利用できる、撮影装置、情報処理方法、及び情報処理プログラムを提供することである。
【課題を解決するための手段】
【０００７】
本発明は上記の課題を解決するためになされたものであり、本発明の一態様は、制御部を備える撮影装置であって、前記制御部は、後の撮影が有ることを示す予兆情報を検出した場合に、前記撮影装置の機能の少なくとも一部を制限する機能制限を行う機能制限情報に基づいて、前記後の撮影前から、前記機能制限情報が示す機能制限を行う、撮影装置である。
【発明の効果】
【０００８】
本発明によれば、ユーザが使用したいときに撮影機能を利用できる。
【図面の簡単な説明】
【０００９】
【図１】第１の実施形態に係る撮影装置の機能構成の一例を示すブロック図である。
【図２】本実施形態に係る撮影予定設定画面の一例を示す図である。
【図３】本実施形態に係る制限機能設定画面の一例を示す図である。
【図４】本実施形態に係る制限除外機能設定画面の一例を示す図である。
【図５】本実施形態に係る制御部が行う機能制限の設定処理の一例を示すフローチャートである。
【図６】本実施形態に係る設定情報の一例を表す概略図である。
【図７】本実施形態に係る制御部が行う機能制限処理の一例を示すフローチャートである。
【図８】本実施形態に係る制限通知画面の一例を示す図である。
【図９】本実施形態に係る制限解除設定画面の一例を示す図である。
【図１０】本実施形態に係る警告画面の一例を示す図である。
【図１１】第２の実施形態に係る撮影に関連するキーワードの一例を示す図である。
【図１２】本実施形態に係る制限を行う機能の組み合わせパターンの一例を示す図である。
【図１３】第３の実施形態に係る過去の撮影に関連する情報の一例を示す図である。
【図１４】第５の実施形態に係る制限候補毎の温度低下率に関する情報の一例を示す図である。
【図１５】本実施形態に係る制御部１１の温度の時間変化を示す図である。
【図１６】第６の実施形態に係る制限候補の追加項目と温度低下率との関連情報の一例を示した図である。
【図１７】第７の実施形態に係る撮影を行う可能性のあるユーザの行動情報の一例を示す図である。
【図１８】本実施形態に係る撮影予定設定画面の一例を示す図である。
【発明を実施するための形態】
【００１０】
（第１の実施形態）
以下、図面を参照しながら本発明の実施形態について説明する。
図１は、本実施形態に係る撮影装置１の機能構成の一例を示すブロック図である。
撮影装置１は、制御部１１、記憶部１２、入力部１３、表示部１４、通信部１５、撮影部１６、計時部１７、及び、温度センサ１８を備える。
撮影装置１は、例えば、デジタルカメラ、携帯電話、タブレット、スマートフォン、ＰＨＳ（Ｐｅｒｓｏｎａｌ  Ｈａｎｄｙ−ｐｈｏｎｅ  Ｓｙｓｔｅｍ）、またはＰＤＡ（Ｐｅｒｓｏｎａｌ  Ｄｉｇｉｔａｌ  Ａｓｓｉｓｔａｎｔ）などである。
【００１１】
制御部１１は、撮影装置１が備える各種構成を制御する。制御部１１が有する機能の一部または全ては、ＣＰＵ（Ｃｅｎｔｒａｌ  Ｐｒｏｃｅｓｓｉｎｇ  Ｕｎｉｔ）などの１つ以上の制御デバイス（プロセッサ）を含み、１つ以上の記憶デバイス（メモリ）を含む記憶部１２に予め記憶させておいたプログラムに記述された命令で指示される処理を実行して、その機能を実現してもよい。
【００１２】
記憶部１２は、例えば、ＨＤＤ（Ｈａｒｄ  Ｄｉｓｃ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒy）、ＲＯＭ（Ｒｅａｄ  Ｏｎｌｙ  Ｍｅｍｏｒｙ）、またはＲＡＭ（Ｒａｎｄｏｍ  Ａｃｃｅｓｓ  Ｍｅｍｏｒｙ）などを備え、ファームウェアやアプリケーションプログラムなど、撮影装置１が備えるＣＰＵが実行するための各種プログラムやＣＰＵが実行した処理の結果などを記憶する。記憶部１２には、後述する各種の設定情報が記憶される。また、記憶部１２は、ネットワーク等を介して接続された複数の装置から実現されてもよい。
【００１３】
入力部１３は、ユーザの操作を受け付け、受けた操作により指示される操作信号を生成する。入力部１３は、例えば、ユーザの操作を受け付けるボタン、つまみなどの専用部材、又は、接触された位置を示す信号を生成するタッチセンサなどの汎用部材などを含んで構成される。入力部１３の一部として、個々の機能もしくはコマンドを指示するためのボタンが備えられてもよい。入力部１３は入力されたデータを制御部１１に出力する。
【００１４】
表示部１４は、制御部１１から入力される表示データで伝達される表示情報を表示する。表示部１４は、ディスプレイデバイスを含んで構成される。ディスプレイデバイスは、例えば、有機エレクトロルミネッセンスディスプレイ（ＯＬＥＤ：Ｏｒｇａｎｉｃ  Ｅｌｅｃｔｒｏ−ｌｕｍｉｎｅｓｃｅｎｃｅ  Ｄｉｓｐｌａｙ）、液晶ディスプレイ（ＬＣＤ：Ｌｉｑｕｉｄ  Ｃｒｙｔａｌ  Ｄｉｓｐｌａｙ）などである。なお、表示部１４は、入力部１３の機能を有するタッチパネルとして形成されてもよい。
【００１５】
通信部１５は、例えば無線又は有線通信を用いてネットワークに接続し、ネットワークに接続された各種のデータを送受信する。通信部１５は、例えば、通信インターフェイスである。通信部１５は、ネットワークを介して受信した受信データを制御部１１に出力し、制御部１１から入力される送信データをネットワークに送出する。
【００１６】
撮影部１６は、イメージセンサを有し動画像及び静止画像を撮影する。イメージセンサは、ＣＭＯＳ（Ｃｏｍｐｌｅｍｅｎｔａｒｙ  ＭＯＳ）イメージセンサ又はＣＣＤ（Ｃｈａｒｇｅ  Ｃｏｕｐｌｅｄ  Ｄｅｖｉｃｅ）イメージセンサ等を用いることができる。撮影部１６は、動画像及び静止画像を撮影することができる。撮影部１６は、動画像として、例えば、４３２０ｐなどの８Ｋ  ＵＨＤ（Ｕｌｔｒａ  Ｈｉｇｈ  Ｄｅｆｉｎｉｔｉｏｎ）画質、２１６０ｐなどの４Ｋ  ＵＨＤ画質、又は、１０８０ｉなどのＦｕｌｌ  ＨＤ（Ｈｉｇｈ  Ｄｅｆｉｎｉｔｉｏｎ、２Ｋ）画質で撮影することができる。撮影部１６は、撮影した動画像及び静止画像を画像データとして制御部１１に出力する。
【００１７】
計時部１７は、制御部１１から入力される信号に応じて、現在時刻を取得する。例えば、計時部１７は、現在時刻として、現在の年月日、曜日、時、分、秒を取得する。計時部１７は、標準電波送信所から電波で送信される時刻情報を受信し、受信した時刻情報が示す時刻を現在時刻として取得してもよい。計時部１７は、取得した時刻を制御部１１に出力する。
【００１８】
温度センサ１８は、制御部１１（ＣＰＵ）の温度を取得する。温度センサ１８は、加えて、撮影装置１の外気温を検出する温度センサを設け、外気温情報を取得してもよい。また、温度センサ１８は、通信部１５を介して取得した天気予報に含まれる気温情報を取得してもよい。
【００１９】
制御部１１は、検出部１１１、設定部１１２、及び、機能制限部１１３を備える。制御部１１の各部は、ＣＰＵが各種プログラムを読み込むことで実現される。制御部１１は、その他、撮影装置１の各部を制御する制御機能を有する。
【００２０】
検出部１１１は、後の撮影の有ることを示す予兆情報を検出する。後の撮影とは、将来、撮影部１６で行われる撮影であり、特定の撮影機能（例えば、動画撮影機能）で撮影を含む。具体的な検出処理については後述する。検出部１１１は、予兆情報を検出した場合に、予兆情報を機能制限部１１３に出力する。
設定部１１２は、機能制限の設定処理（後述）を行う。設定部１１２は、設定処理の結果、機能制限の設定情報（図６参照）を記憶部１２に記憶する。設定情報には、撮影装置１の各機能の制限を示す。設定情報は、例えば、機能制限する機能、及び、当該機能を制限する時刻（制限開始時刻、制限終了時刻）が対応付けられている。
【００２１】
機能制限部１１３は、機能制限処理を行う。具体的には、機能制限部１１３は、予兆情報が検出された場合に、記憶部１２が記憶する設定情報において、設定情報が示す機能制限を行う。ここで、機能制限部１１３は、後の撮影前から、機能制限を行う。この機能制限は、将来、ユーザが撮影したいときに、撮影が禁止されないための機能制限である。例えば、機能制限は、将来の撮影開始時又は撮影中に、ＣＰＵの温度が所定値より低くなるように、撮影までの機能を制限するものである。
このように、撮影装置１は、将来、ユーザが撮影したいときに、撮影が禁止されないように、撮影前から機能制限を行う。これにより、撮影装置１は、ユーザが撮影したいときに、撮影部１６の撮影機能を利用できる。
【００２２】
以下、検出部１１１が、撮影予定設定（スケジュール情報の一例）に基づいて検出処理を行う場合について説明する。
【００２３】
図２は、本実施形態に係る撮影予定設定画面Ｄ１０の一例を示す図である。
撮影予定設定画面Ｄ１０は、ユーザが撮影予定設定を行う画面である。撮影予定設定画面Ｄ１０は、制御部１１により、表示部１４に表示される。
【００２４】
撮影予定設定画面Ｄ１０は、撮影開始時刻設定欄Ｓ１１、撮影終了時刻設定欄Ｓ１２、撮影モード設定欄Ｓ１３、適用ボタンＢＴ１１、及びキャンセルボタンＢＴ１２を含んで構成される。
撮影開始時刻設定欄Ｓ１１は、撮影開始時刻を設定するための入力欄である。
撮影終了時刻設定欄Ｓ１２は、撮影終了時刻を設定するための入力欄である。
撮影モード設定欄Ｓ１３は、撮影モードを設定するための入力欄である。
適用ボタンＢＴ１１は、設定された撮影予定設定情報の適用を指示するためのボタンである。キャンセルボタンＢＴ１２は、撮影予定設定情報を更新せずに、撮影予定設定情報の設定の中止を指示するためのボタンである。
【００２５】
入力部１３は、ユーザ操作に基づいて、各入力欄への入力、及び、各ボタンの押下に応じた入力処理を行う。押下とは、現実の押下の他、その表示領域の一部又は全部への操作を示す操作信号が入力部１３から入力されることを含む。例えば、図２は、入力部１３により、撮影開始時刻に「１１：００」、撮影終了時刻に「１１：３０」、撮影モードに「動画（４Ｋ）」が入力されていることを表す。
図２の状態において、適用ボタンＢＴ１１が押下された場合、設定部１１２は、表示部１４に対して、図３の画面を表示させる処理を行う。
【００２６】
図３は、本実施形態に係る制限機能設定画面の一例を示す図である。
制限機能設定画面Ｄ２０は、機能制限を行う機能の候補（「制限候補」とも称する）に対して、ユーザが機能制限の可否の設定を行う画面である。制限機能設定画面Ｄ２０は、制御部１１により、表示部１４に表示される。
【００２７】
制限機能設定画面Ｄ２０は、制限機能設定欄ＣＢ２１を含んで構成される。制限機能設定欄ＣＢ２１には、各制限候補が列挙されている。制限機能設定欄ＣＢ２１には、各制限候補を選択するチェックボックスが設定されている。これにより、ユーザは、機能制限を許可する制限候補について、１又は複数の制限候補を選択できる。
いずれかのチェックボックスがチェックされるとき、設定部１１２は、チェックされたチェックボックスに対応する制限候補を、機能制限を行う機能として記憶部１２に記憶させる。例えば、図３は、制限候補のうち、「５Ｇ」及び「アップロード」に対応するチェックボックスがチェックされている。図３の状態では、「５Ｇ」及び「アップロード」が、機能制限を行う機能として記憶部１２に記憶させる。なお、「５Ｇ」とは、第５世代の携帯通信規格の通信を行う機能を表す。また、「アップロード」は、データをアップロードする機能を表す。
【００２８】
なお、図２の状態において、適用ボタンＢＴ１１が押下された場合、設定部１１２は、表示部１４に対して、図４の画面を表示させる処理を行ってもよい。又は、設定部１１２は、図３の制限機能設定画面Ｄ２０の後に、図４の画面を表示させる処理を行ってもよい。
【００２９】
図４は、本実施形態に係る制限除外機能設定画面の一例を示す図である。
制限除外機能設定画面Ｄ３０は、機能制限を行わない機能の候補（「制限除外候補」とも称する）に対して、ユーザが機能制限の可否の設定を行う画面である。制限除外機能設定画面Ｄ３０は、制御部１１により、表示部１４に表示される。
【００３０】
制限除外機能設定画面Ｄ３０は、制限除外機能設定欄ＣＢ３１を含んで構成される。制限除外機能設定欄ＣＢ３１には、各制限除外候補が列挙されている。制限除外機能設定欄ＣＢ３１には、各制限除外候補を選択するチェックボックスが設定されている。これにより、ユーザは、機能制限を許可しない制限除外候補について、１又は複数の制限除外候補を選択できる。
いずれかのチェックボックスがチェックされるとき、設定部１１２は、チェックされたチェックボックスに対応する制限除外候補を、機能制限を行わない機能として記憶部１２に記憶させる。例えば、図４は、制限除外候補のうち、「ＳＮＳ」及び「メール」に対応するチェックボックスがチェックされている。図４の状態では、「ＳＮＳ」及び「メール」が、機能制限を行わない機能として記憶部１２に記憶させる。なお、「ＳＮＳ」とは、Ｓｏｃｉａｌ  Ｎｅｔｗｏｒｋｉｎｇ  Ｓｅｒｖｉｃｅのサービスを利用する機能を表す。また、「メール」は、メールを送受信する機能を表す。
【００３１】
図５は、本実施形態に係る制御部１１が行う機能制限の設定処理の一例を示すフローチャートである。
【００３２】
（ステップＳ１０１）検出部１１１は、後の撮影が有るか否かを検出する。具体的には、検出部１１１は、撮影予定設定画面Ｄ１０、制限機能設定画面Ｄ２０、又は、制限除外機能設定画面Ｄ３０への入力が行われた場合、後の撮影が有ることを検出する（ＹＥＳ）。この場合、検出部１１１は、後の撮影が有ることを示す予兆情報を設定部１１２に出力し、ステップＳ１０２へ進む。それ以外の場合（ＮＯ）、検出部１１１は、後の撮影が無いことを検出する。この場合、ステップＳ１０１が繰り返される。
【００３３】
（ステップＳ１０２）設定部１１２は、設定処理を行う。具体的には、記憶部１２は、制限候補及び撮影モード毎の、機能を制限する時間情報を、予め記憶する。ここで、機能を制限する時間情報とは、機能を制限する時間の長さを示す情報である。設定部１１２は、記憶部１２から、機能制限を行う機能を読み出す。ここで、機能制限を行う機能が複数ある場合、設定部１１２は、機能制限を行う機能を１つ選択する。設定部１１２は、選択した機能制限を行う機能に対応する、機能を制限する時間情報を、記憶部１２から読み出す。設定部１１２は、記憶部１２から、設定した撮影予定時間設定を読み出し、撮影予定時間設定に含まれる撮影開始時刻を取得する。設定部１１２は、機能を制限する時間情報と撮影開始時刻とに基づいて、制限開始時刻と、制限終了時刻を設定する。ここで、制限開始時刻は、撮影開始時刻から、機能を制限する時間分だけ前に遡った時刻である。また、制限終了時刻は撮影開始時刻と一致する。機能制限を行う機能が複数ある場合は、機能制限を行う機能の数だけ、上記の設定を繰り返す。
なお、上記の説明では、機能を制限する時間が撮影開始時刻で終了する例について説明したが、機能を制限する時間は撮影時に継続して行われてもよい。例えば、制限終了時刻は、撮影終了時刻と一致させてもよい。この場合、機能を制限する時間は、機能を制限する時間情報に示される時間の長さと、撮影開始時刻から撮影終了時刻までの撮影時間を加算したものであってもよい。
【００３４】
図６は、本実施形態に係る設定情報の一例を表す概略図である。
図６は、機能「５Ｇ」及び「アップロード」について、制限開始時刻「２０１８／６／１７  １０：００」から制限終了時刻「２０１８／６／１７  １１：００」まで、これらの機能を制限することを表す。ここで、機能を制限するとは、例えば、機能の一部又は全部を使わせないことを言う。
【００３５】
図７は、本実施形態に係る制御部１１が行う機能制限処理の一例を示すフローチャートである。
【００３６】
（ステップＳ２０１）機能制限部１１３は、記憶部１２から、機能制限の設定を読み出す。機能制限部１１３は、機能制限の設定から制限する機能毎に、制限開始時刻を取得する。機能制限部１１３は、計時部１７から現在時刻を取得する。機能制限部１１３は、現在時刻と制限開始時刻を比較する。機能制限部１１３は、現在時刻が制限開始時刻と一致した場合、制限開始時刻が到来したと判定し（ＹＥＳ）、ステップＳ２０２へ進む。機能制限部１１３は、現在時刻が制限開始時刻より前の時刻の場合、制限開始時刻は到来していないと判定する（ＮＯ）。この場合、機能制限部１１３は、制限開始時刻が到来するまで、当該制限する機能を制限しない。
【００３７】
（ステップＳ２０２）機能制限部１１３は、制限開始時刻が到来した機能を制限し、ステップＳ２０３へ進む。ここで、制限開始時刻が到来した機能とは、機能制限の設定が行われている機能のうち、制限開始時刻が到来した機能を示す。
【００３８】
（ステップＳ２０３）機能制限部１１３は、記憶部１２から、機能制限の設定を読み出す。機能制限部１１３は、機能制限の設定から制限する機能毎に、制限終了時刻を取得する。機能制限部１１３は、計時部１７から現在時刻を取得する。機能制限部１１３は、現在時刻と制限終了時刻を比較する。機能制限部１１３は、現在時刻が制限終了時刻と一致した場合、制限終了時刻が到来したと判定し（ＹＥＳ）、ステップＳ２０４へ進む。機能制限部１１３は、現在時刻が制限終了時刻より前の時刻の場合、制限終了時刻は到来していないと判定する（ＮＯ）。この場合、機能制限部１１３は、制限終了時刻が到来するまで、当該制限する機能を制限する。
【００３９】
（ステップＳ２０４）機能制限部１１３は、制限終了時刻が到来した機能の制限を終了する。ここで、制限終了時刻が到来した機能とは、機能制限の設定が行われている機能のうち、制限終了時刻が到来した機能を示す。
【００４０】
なお、上述では、撮影予定設定画面Ｄ１０において、撮影開始時刻と、撮影終了時刻、撮影モードを設定したが、撮影終了時刻と撮影モードの少なくとも一方を設定しなくてもよい。この場合、記憶部１２は、制限候補毎に、機能を制限する時間情報を、予め記憶する。設定部１１２は、選択した機能制限を行う機能に基づいて、機能を制限する時間情報を読み出す。
【００４１】
なお、制御部１１は、機能の制限を実施している場合に、機能の制限を実施していることを表示部１４に表示してもよい。
【００４２】
図８は、本実施形態に係る制限通知画面Ｄ４０の一例を示す図である。
制限通知画面Ｄ４０は、ユーザに機能の制限が実施していることを示す画面である。制限通知画面Ｄ４０は、制御部１１により、表示部１４に表示される。
制限通知画面Ｄ４０は、制限情報表示欄Ｄ４１を含んで構成される。
制限情報表示欄Ｄ４１は、機能制限を実施している機能についての情報を通知するための表示欄である。
例えば、図８は、機能「５Ｇ」と「アップロード」が制限されていることを通知している。
【００４３】
また、制御部１１は、ユーザによる制限解除設定に基づいて、機能制限の解除処理を行うことができる。
図９は、本実施形態に係る制限解除設定画面Ｄ５０の一例を示す図である。
制限解除設定画面Ｄ５０は、ユーザが制限解除設定を行う画面である。制限解除設定画面Ｄ５０は、制御部１１により、表示部１４に表示される。
【００４４】
制限解除設定画面Ｄ５０は、制限解除期間設定欄Ｓ５１、適用ボタンＢＴ５１、及びキャンセルボタンＢＴ５２を含んで構成される。
制限解除期間設定欄Ｓ５１は、制限解除期間を設定するための入力欄である。
適用ボタンＢＴ５１は、設定された制限解除期間設定情報の適用を指示するためのボタンである。キャンセルボタンＢＴ５２は、制限解除期間設定情報を更新せずに、制限解除期間設定情報の設定の中止を指示するためのボタンである。
【００４５】
入力部１３は、ユーザ操作に基づいて、各入力欄への入力、及び、各ボタンの押下に応じた入力処理を行う。例えば、図９は、入力部１３により、解除期間に「０：１０」が入力されていることを表す。
図９の状態において、適用ボタンＢＴ５１が押下された場合、設定部１１２は、入力された内容に応じた機能制限の解除を行う。例えば、図９の状態において、適用ボタンＢＴ５１が押下された場合、設定部１１２は押下された時刻から１０分間、機能制限の実施を中断する。なお、制限解除期間設定欄Ｓ５１には、「今回の制限を中止する」ことを示す入力されてもよい。この状態において、適用ボタンＢＴ５１が押下された場合、設定部１１２は、実施している機能制限を中止し、機能制限処理を終了する。
【００４６】
また、機能制限を実行している期間に、制御部１１の温度が上昇することが検出される場合に、制御部１１は、警告画面を表示部１４に表示してもよい。ここで、制御部１１は、制御部１１の温度を温度センサ１８から取得する。また、警告画面には、将来の撮影時に撮影ができなくなることを伝える内容を含む。
【００４７】
図１０は、本実施形態に係る警告画面Ｄ６０の一例を示す図である。
警告画面Ｄ６０は、ユーザに将来の撮影時に撮影ができなくなる内容を伝える画面である。警告画面Ｄ６０は、制御部１１により、表示部１４に表示される。
【００４８】
警告画面Ｄ６０は、警告情報表示欄Ｄ６１と、適用ボタンＢＴ６１、及びキャンセルボタンＢＴ６２を含んで構成される。
警告情報表示欄Ｄ６１は、将来の撮影時に撮影ができなくなることを通知するための表示欄である。
適用ボタンＢＴ６１は、制限機能の設定の変更を指示するためのボタンである。キャンセルボタンＢＴ６２は、制限機能の設定を変更せずに、制限機能の設定の中止を指示するためのボタンである。
例えば、図１０は、撮影予定時刻に撮影ができなくなることを通知している。
図１０の状態において、適用ボタンＢＴ６１が押下された場合、設定部１１２は、制限機能の設定を行う処理を行う。例えば、設定部１１２は、制限機能設定画面（図３）を表示してもよい。
【００４９】
以上に説明したように、撮影装置１は、制御部１１（制御部の一例）を備える。制御部１１は、後の撮影が有ることを示す予兆情報を検出した場合、撮影装置１の機能の少なくとも一部を制限する機能制限を示す機能制限の設定（機能制限情報の一例）に基づいて、後の撮影前から、機能制限の設定が示す機能制限を行う。
この構成により、撮影装置１は、例えば、将来、ユーザが撮影したいときに撮影が禁止（例えば、ＣＰＵの温度上昇による撮影機能の禁止）されないように、撮影前から機能制限を行うことができる。これにより、撮影装置１は、ユーザが撮影したいときに、撮影部１６の撮影機能を利用できる。
また、撮影装置１の制御部１１は、撮影時に撮影装置１が使用する機能情報（撮影モード）に基づいて、機能制限を行う。
この構成により、撮影装置１は、例えば、将来、ユーザが撮影したいときに撮影が禁止されないように、撮影前から機能制限を行うことができる。これにより、撮影装置１は、ユーザが撮影したいときに、撮影部１６の撮影機能を利用できる。
【００５０】
（第２の実施形態）
次に、本発明の第２の実施形態について説明する。以下、主に第１の実施形態との差異点について説明する。第１の実施形態と同一の構成については、同一の符号を付してその説明を援用する。
撮影装置１は撮影予定設定の代わりに、例えば、記憶部１２に予め記憶されたユーザのスケジュール情報に基づいて検出処理を行ってもよい。
そこで、本実施形態では、以下、検出部１１１が、ユーザのスケジュール情報と撮影に関するキーワードとに基づいて検出処理を行う場合の、検出部１１１が行う予兆情報の検出処置と、設定部１１２が行う機能制限の設定処理について説明する。
【００５１】
検出部１１１は、記憶部１２からユーザのスケジュール情報を読み込む。スケジュール情報は、スケジュールの開始時刻及び終了時刻を含む。また、取得するスケジュール情報には場所や、スケジュールの内容などを含んでいてもよい。
【００５２】
検出部１１１は、取得したスケジュール情報に、撮影に関連するキーワードが含まれているか否か判定する。ここで、撮影に関連するキーワードとは、撮影が行われることが連想される単語である。記憶部１２は、撮影に関連するキーワードを、予め記憶する。
【００５３】
図１１は、本実施形態に係る撮影に関連するキーワードの一例を示す図である。
例えば、図１１は、撮影に関するキーワードとして、「運動会」、「発表会」、及び「大会」が記憶されていることを表す。
なお、撮影に関するキーワードは、ユーザによって更新されてもよい。
【００５４】
検出部１１１は、取得したスケジュール情報に、撮影に関連するキーワードが含まれている場合に、撮影に関するキーワードが含まれていると判定する。それ以外の場合、検出部１１１は、取得したスケジュール情報には、撮影に関連するキーワードが含まれていないと判定する。検出部１１１は、取得したスケジュール情報に、撮影に関するキーワードが含まれていた場合、後の撮影が有ることを示す予兆情報を検出する。検出部１１１は、検出した予兆情報を設定部１１２に出力する。
【００５５】
設定部１１２は、制限を行う機能の組み合わせパターンを記憶部１２から読み出す。ここで、制限を行う機能の組み合わせパターンとは、制限候補機能のうち、制限を行う機能の組を示すパターンである。記憶部１２は、制限を行う機能の組み合わせパターンを、予め記憶部に記憶する。
【００５６】
図１２は、本実施形態に係る制限を行う機能の組み合わせパターンの一例を示す図である。例えば、図１２は、３パターンの制限機能の組み合わせを示している。制限モード１は、多くの機能の制限が設定される（×印、表示が「暗」い、ＣＰＵが「遅」い）モードである。制限モード３は、ほとんどの機能の制限が設定されない（〇印、表示が「明」るい、ＣＰＵが「速」い）モードである。制限モード２は、一部の機能の制限が設定されるモードである。
【００５７】
記憶部１２が制限を行う機能の組み合わせパターンを複数記憶している場合には、設定部１１２は、表示部１４に、制限を行う機能の組み合わせパターンを表示し、ユーザに制限を行う機能の組み合わせパターンを選択させる。設定部１１２は、選択された組み合わせパターンに従って、機能制限を行う機能を設定する。
【００５８】
次に、本実施形態に係る制御部１１が行う機能制限の設定処理の一例について説明する。本実施形態に係る設定処理の一例を示すフローチャートは、第１の実施形態に係る設定処理の一例を示すフローチャートと同様であるので、図５を援用して説明する。
【００５９】
（ステップＳ１０１）検出部１１１は、後の撮影が有るか否かを検出する。具体的には、検出部１１１は、取得したスケジュール情報に、撮影に関連するキーワードが含まれている場合、後の撮影が有ることを検出する（ＹＥＳ）。検出部１１１は、後の撮影が有ることを検出した場合、ステップＳ１０２へ進む。それ以外の場合（ＮＯ）、検出部１１１は、後の撮影がないことを検出する。この場合、検出部１１１は、他のスケジュール情報を取得し、ステップＳ１０１を繰り返す。
【００６０】
（ステップＳ１０２）設定部１１２は、制限設定の設定処理を行う。設定部１１２は、上述した方法で制限する機能を設定する。また、設定部１１２は、スケジュールの開始時刻と終了時刻に基づいて、撮影開始時刻と撮影終了時刻を設定する。制限する機能毎の制限時間の設定については、第１の実施形態と同様であるので説明を省略する。
【００６１】
本実施形態に係る制御部１１が行う機能制限の一例については、第１の実施形態と同様であるから説明を省略する。
【００６２】
なお、制限設定の設定処理において、選択した機能制限を行う機能と撮影モードとに基づいて、撮影を制限する時間情報を設定する場合、設定部１１２は、表示部１４に撮影モード設定画面を表示し、入力された撮影モードを、撮影時の撮影モードに設定してもよい。また、設定部１１２は、スケジュール情報に撮影モードを意味する単語が含まれている場合には、当該情報を撮影モードとして用いてもよい。ここで、撮影モードを意味する単語とは、例えば、「静止画」、「動画（２Ｋ）」、及び「動画（４Ｋ）」など、撮影モードを指定する単語である。
【００６３】
また、取得したスケジュール情報に、撮影に関するキーワードが含まれていた場合、検出部１１１は、改めて撮影予定設定画面Ｄ１０、制限機能設定画面Ｄ２０、及び制限除外機能設定画面Ｄ３０を表示部１４に表示させ、撮影予定設定を行ってもよい。この時、検出部１１１は、上記の設定画面に入力が行われた場合、後の撮影が有ることを検出する。
【００６４】
また、第１の実施形態においては、撮影予定設定画面Ｄ１０、制限機能設定画面Ｄ２０、及び制限除外機能設定画面Ｄ３０に入力が行われた場合に、検出部１１１は後の撮影が有ることを検出した。このとき、制御部１１は、入力された撮影予定設定、制限機能設定、制限除外機能設定を合わせて、スケジュール情報として設定し、記憶部１２に記憶させてもよい。このとき、記憶部１２は、撮影予定設定の撮影開始時刻と撮影終了時刻を、それぞれスケジュール情報の開始時刻と終了時刻として設定する。また、機能制限を行う機能、機能制限を行わない機能、及び撮影モードなどの情報を、例えば、スケジュールの内容として記憶する。検出部１１１は、当該スケジュールを記憶部１２から読み出し、後の撮影があることを検出する。また、設定部１１２は、当該スケジュールに含まれる、スケジュールの内容を読み出す。設定部１１２は、スケジュールの内容に記載された情報に基づいて、機能制限を行う機能、機能制限を行わない機能、及び撮影モードを設定する。
【００６５】
以上に説明したように、本実施形態に係る撮影装置１は、制御部１１を備える。制御部１１は、ユーザのスケジュール情報に基づいて、後の撮影が有ることを示す予兆情報を検出する。
この構成により、撮影装置１は、例えば、将来、ユーザが撮影したいときに撮影が禁止（例えば、ＣＰＵの温度上昇による撮影機能の禁止）されないように、撮影前から機能制限を行うことができる。これにより、撮影装置１は、ユーザが撮影したいときに、撮影部１６の撮影機能を利用できる。
【００６６】
（第３の実施形態）
次に、本発明の第３の実施形態について説明する。以下、主に第２の実施形態との差異点について説明する。第２の実施形態と同一の構成については、同一の符号を付してその説明を援用する。
検出部１１１は、取得したスケジュールに、場所の情報が含まれている場合であって、過去に同じ場所で撮影が行われている場合に、後の撮影が有ることを示す予兆情報を検出してもよい。
そこで本実施形態では、以下、検出部１１１が、ユーザのスケジュール情報と過去に撮影が行われた場所の情報に基づいて、予兆情報の検出処理を行う場合について説明する。
【００６７】
記憶部１２は、過去に撮影が行われた場合の撮影場所と撮影モードを関連付けた情報（以下、「過去の撮影に関連する情報」とも称する）を予め記憶する。
図１３は、本実施形態に係る過去の撮影に関連する情報の一例を示す図である。例えば、図１３は、過去に「水族館Ａ」にて「動画（２Ｋ）」の撮影が行われたことを示す。また、過去に「テーマパークＢ」にて「動画（４Ｋ）」の撮影が行われたことを示す。
【００６８】
検出部１１１は、記憶部１２からユーザのスケジュール情報を読み込む。検出部１１１は、取得したスケジュール情報に場所に関する情報が含まれている場合、記憶部１２から、過去の撮影に関連する情報を読み出す。検出部１１１は、スケジュールに含まれる場所が、過去の撮影に関する情報の「撮影場所」と一致するかどうか判定する。検出部１１１は、スケジュールに含まれる場所が、過去に行われた撮影の場所と一致した場合、後の撮影が有ることを示す予兆情報を検出する。
【００６９】
なお、予兆情報を検出する場合、設定部１１２は、当該の場所で過去に撮影が行われた際の撮影モードを、検出後の撮影予定における撮影モードとして設定してもよい。
【００７０】
本実施形態に係る制御部１１が行う設定処理の一例、及び制御部１１が行う機能制限の一例については、第２の実施形態と同様であるから説明を省略する。
【００７１】
以上に説明したように、本実施形態に係る撮影装置１は、制御部１１を備える。制御部１１は、ユーザのスケジュール情報に基づいて、後の撮影が有ることを示す予兆情報を検出する。
この構成により、撮影装置１は、例えば、将来、ユーザが撮影したいときに撮影が禁止（例えば、ＣＰＵの温度上昇による撮影機能の禁止）されないように、撮影前から機能制限を行うことができる。これにより、撮影装置１は、ユーザが撮影したいときに、撮影部１６の撮影機能を利用できる。
【００７２】
（第４の実施形態）
次に、本発明の第４の実施形態について説明する。以下、主に第１の実施形態との差異点について説明する。第１の実施形態と同一の構成については、同一の符号を付してその説明を援用する。
第１の実施形態では、設定部１１２が、予め記憶部１２に記憶された、機能を制限時間情報に基づいて、制限を行う時間を設定していた。しかし、設定部１１２は、温度センサ１８から取得した制御部１１の温度に基づいて、制限を行う時間を設定してもよい。
そこで、本実施形態では、以下、設定部１１２が、温度センサ１８から取得した制御部１１の温度情報に基づいて、機能制限を行う時間の設定処理を行う場合について説明する。
【００７３】
記憶部１２は、温度毎の機能を制限する時間情報を予め記憶する。ここで、温度毎の機能を制限する時間情報とは、制御部１１の温度と、制限時間の長さの情報を関連付けた情報である。
設定部１１２は、温度センサ１８から、制御部１１の温度情報を取得する。設定部１１２は、記憶部１２から温度毎の機能を制限する時間情報を取得する。設定部１１２は、制御部１１の温度と、温度毎の機能を制限する時間情報とに基づいて、機能制限する時間（以下「制限時間」とも称する）を設定する。
【００７４】
本実施形態に係る制御部１１が行う機能制限の設定処理と、本実施形態に係る制御部１１が行う機能制限については、第１の実施形態と同様であるから説明を省略する。
【００７５】
なお、上述の説明では、設定部１１２は、温度センサ１８から制御部１１の温度を取得するが、取得する温度情報はこれには限られない。例えば、設定部１１２は、温度センサ１８から外気温情報を取得してもよい。このとき、記憶部１２は、外気温毎の機能を制限する時間情報を予め記憶する。設定部１１２は、撮影装置１の外気温と、外気温毎の機能を制限する時間情報とに基づいて、制限時間を設定する。
また、設定部１１２は、温度センサ１８から、天気予報に含まれる気温情報を取得してもよい。このとき、記憶部１２は、気温毎の機能を制限する時間情報を予め記憶する。設定部１１２は、天気予報に含まれる気温情報と、気温毎の機能を制限する時間情報とに基づいて、制限時間を設定する。
【００７６】
以上に説明したように、本実施形態に係る撮影装置１は、温度を示す温度情報を検出する検出部（温度センサ１８）を備える。制御部１１は、温度情報に基づいて、撮影装置１の機能の少なくとも一部を制限する機能制限を示す機能制限の設定（機能制限情報の一例）に基づいて、後の撮影前から、機能制限の設定が示す機能制限を行う。
この構成により、撮影装置１は、例えば、将来、ユーザが撮影したいときに撮影が禁止（例えば、ＣＰＵの温度上昇による撮影機能の禁止）されないように、撮影前から機能制限を行うことができる。これにより、撮影装置１は、ユーザが撮影したいときに、撮影部１６の撮影機能を利用できる。
【００７７】
（第５の実施形態）
次に、本発明の第５の実施形態について説明する。以下、主に第１の実施形態との差異点について説明する。第１の実施形態と同一の構成については、同一の符号を付してその説明を援用する。
設定部１１２は、温度情報に基づいて、機能制限する機能と機能制限する時間を設定してもよい。
そこで、本実施形態では、以下、設定部１１２が、機能制限の設定処理において、温度センサ１８から取得した制御部１１の温度情報に基づいて、機能制限する機能及び時間の設定を行う場合について説明する。
【００７８】
記憶部１２は、制限候補毎の温度低下率に関する情報を、予め記憶する。ここで、制限候補毎の温度低下率とは、制限候補の機能毎に機能制限を行った場合の、単位時間あたりの制御部１１の温度の低下量を示す値である。
図１４は、本実施形態に係る制限候補毎の温度低下率に関する情報の一例を示す図である。
図１４は、例えば、機能「５Ｇ」を制限する時の温度低下率が「Ｒ１」であることを示す。また、例えば、機能「表示」の明るさを「明」から「中」に制限する時の温度低下率が「Ｒ５」であることを示す。
【００７９】
図１５は、本実施形態に係る制御部１１の温度の時間変化を示す図である。
図１５において、縦軸は制御部１１の温度を、横軸は時刻を示している。曲線ａ１は制限時間を設定可能最小値Ａ０に設定（＝機能制限する機能数を最大に設定）した場合の温度変化曲線を、曲線ａ３は、制限時間を設定可能最大値Ａ１に設定（＝機能制限する機能を最小限に設定）した場合の温度変化曲線を、曲線ａ２は制限時間をＡ０とＡ１の間の値（Ａ）に設定した場合の温度変化曲線を、曲線ａ４は撮影期間中の温度変化曲線を示している。
【００８０】
記憶部１２は、制限終了時刻における制御部１１の設定温度Ｔ３を、予め記憶する。温度Ｔ３は、撮影時における制御部１１の許容上限温度Ｔ２未満の値である。設定部１１２は、撮影開始時の設定温度Ｔ３の設定値を、記憶部１２から読み出す。なお、Ｔ３は、撮影モードによって異なるものであってもよい。
設定部１１２は、制限開始時刻ｔ２における制御部１１の予測温度Ｔ１と、制限終了時刻の制御部１１の設定温度Ｔ３とに基づいて、機能制限する機能及び時間を設定する。ここで、制限開始時刻の予測温度Ｔ１は、温度センサ１８によって取得された温度情報に基づいて決定する。例えば、予測温度Ｔ１は、機能制限の設定処理を行う時刻における制御部１１の温度であってもよい。また、予測温度Ｔ１は、機能制限の設定処理を行う時刻における撮影装置１の外気温であってもよい。
【００８１】
設定部１１２は、記憶部１２に記憶された、制限候補毎の温度低下率に関する情報を取得する。設定部１１２は、取得した温度低下率に関する情報に基づいて機能制限する機能と時間を決定する。
設定部１１２は、設定可能な全ての機能制限を実施した場合の温度低下率の和Ｒａ（＝Ｒ１＋Ｒ２＋Ｒ３＋・・・）を算出する。検出部１１１は、制限時間の設定可能最小値Ａ０を、式１によって算出する。
Ａ０＝（Ｔ１−Ｔ３）／Ｒａ・・・（式１）
設定部１１２は、最も温度低下率が小さい機能の温度低下率Ｒ０（＝Ｒ１、Ｒ２、・・・の最小値）に基づいて、制限時間の設定可能最大値Ａ１を、式２によって算出し、Ａ０とＡ１の間で自由に、制限時間Ａを設定し、記憶部１２に記憶させる。
Ａ１＝（Ｔ１−Ｔ３）／Ｒ０・・・（式２）
【００８２】
設定部１１２は、制限時間Ａ（＝ｔ３−ｔ２）を決定する場合に、改めて制限する機能を決定してもよい。このとき、設定部１１２は、式３によって温度低下率Ｒを算出する。  Ｒ＝（Ｔ１−Ｔ３）／Ａ・・・（式３）
設定部１１２は、Ｒを満たすように、機能毎の温度低下率に関する情報に基づいて、制限する機能の組み合わせを決定し、記憶部１２に制限機能する機能の情報を記憶させる。
【００８３】
ここで、制限候補は制限する優先順位が予め設けられていてもよい。例えば、設定部１１２は、優先順位の高いものから制限する機能を設定してもよい。優先順位の設定は、例えば、機能毎に行われていてもよい。また、優先順位の設定は、関係のある複数の機能をグループ化したものに対して、行われてもよい。例えば、通信に関する機能（例えば、５Ｇ、ＬＴＥ（Ｌｏｎｇ  Ｔｅｒｍ  Ｅｖｏｌｕｔｉｏｎ）、アップロードなど）を制限の最優先順位が設定されている。この場合、設定部１１２は、例えば、通信に関する機能を他の機能よりも優先して機能制限する機能に設定する。
【００８４】
なお、設定部１１２は、ユーザが制限を行う機能を設定する場合にも、上述した方法を用いてよい。このとき、設定部１１２は、ユーザが設定した制限を行う機能を加えて、更に制限する機能を設定する。設定部１１２は、ユーザが設定した機能のみが制限される場合の温度低下率Ｒｂを算出し、制限時間の設定可能最大値Ａ１を式４によって算出する。
Ａ１＝（Ｔ１−Ｔ３）／Ｒｂ・・・（式４）
【００８５】
設定部１１２は、制限時間ＡをＡ０からＡ１までの間の値に自由に設定するとともに、ユーザが指定した機能を含むように、制限する機能を設定する。
【００８６】
また、設定部１１２は、ユーザが制限を行わない機能を設定している場合にも、上述した方法を用いてよい。このとき、設定部１１２は、ユーザが設定した機能以外の全ての機能が制限される場合の温度低下率Ｒｃを算出し、制限時間の設定可能最小値Ａ０を式５によって算出する。設定部１１２は、制限時間ＡをＡ０からＡ１までの間の値に自由に設定するとともに、ユーザが指定した機能を含まないように、制限する機能を設定する。
Ａ０＝（Ｔ１−Ｔ３）／Ｒｃ・・・（式５）
【００８７】
また、設定部１１２は、機能制限部１１３が機能制限を実施している場合に、機能制限する機能の設定を更新してもよい。設定部１１２は、機能制限開始時刻に、機能制限開始時刻の機能制限する機能による温度低下率（Ｒｓ）を計算し、記憶部１２に記憶させる。一定時間経過毎に、設定部１１２は、温度センサ１８から制御部１１の温度を取得し、その時点から撮影開始までに必要な温度低下率（Ｒｔ）を算出する。設定部１１２は、ＲｔとＲｓの差（Ｒｔ−Ｒｓ）が正の一定値以上の場合には、必要な温度低下率となるように機能制限する機能を追加する。また、設定部１１２は、ＲｔとＲｓの差が負の一定値以下の場合には、必要な温度低下率になるように機能制限する機能を減少する。
【００８８】
なお、上記の説明では、温度低下率は一定であり、撮影装置１のＣＰＵの温度変化が直線的に変化するものとして説明したが、これらの設定は、上述したものには限られない。例えば、温度低下率や、撮影装置１のＣＰＵの温度変化は、温度によって異なるものであってもよいし、外気温によって異なるものであってもよい。
【００８９】
以上に説明したように、本実施形態に係る撮影装置１は、温度を示す温度情報を検出する検出部（温度センサ１８）を備える。制御部１１は、温度情報に基づいて、撮影装置１の機能の少なくとも一部を制限する機能制限を示す機能制限を更新する。
この構成により、撮影装置１は、例えば、将来、ユーザが撮影したいときに撮影が禁止（例えば、ＣＰＵの温度上昇による撮影機能の禁止）されないように、撮影前から機能制限を行うことができる。これにより、撮影装置１は、ユーザが撮影したいときに、撮影部１６の撮影機能を利用できる。
また、制御部１１は、機能制限として、通信機能を優先的に制限する。
この構成により、撮影装置１は、例えば、将来、ユーザが撮影したいときに撮影が禁止（例えば、ＣＰＵの温度上昇による撮影機能の禁止）されないように、撮影前から機能制限を行うことができる。これにより、撮影装置１は、ユーザが撮影したいときに、撮影部１６の撮影機能を利用できる。
【００９０】
（第６の実施形態）
次に、本発明の第６の実施形態について説明する。以下、主に第５の実施形態との差異点について説明する。第５の実施形態と同一の構成については、同一の符号を付してその説明を援用する。
機能制限部１３は、温度情報に基づいて、撮影時に機能制限を行ってもよい。例えば、撮影が急激な発熱を伴い、ユーザが設定した撮影期間に撮影が行えなくなるような場合でも、撮影時に使用されている機能の一部を制限することができれば、ユーザが撮影を望む間、撮影部１６の撮影機能を利用できる。
そこで、本実施形態では、以下、設定部１１２が、温度センサ１８から取得した制御部１１の温度情報に基づいて、撮影中に機能制限する機能を設定する場合について説明する。
【００９１】
ここでは、図１５の図を用いて、撮影中の機能制限する機能を設定する方法を説明する。図１５において、設定部１１２は、撮影開始時刻ｔ３、撮影終了時刻ｔ４、制御部１１の撮影時の許容上限温度Ｔ２、及び撮影開始時刻の温度Ｔ３に基づいて、最大温度上昇率Ｒｄを式６によって算出する。
Ｒｄ＝（Ｔ２−Ｔ３）／（ｔ４−ｔ３）・・・（式６）
【００９２】
設定部１１２は、撮影する機能（撮影モード）による温度上昇率Ｒｖを記憶部１２から読み出す。ここで、撮影する機能による温度上昇率とは、撮影する機能を実行した場合の、制御部１１の単位時間当たりの温度上昇率を表す。記憶部１２は、撮影する機能による温度上昇率に関する情報を、予め記憶する。なお、温度上昇率は、当該撮影する機能を制限する時の温度低下率の値を援用してもよい。また、撮影する機能が設定されていない場合には、自由に撮影を行う機能を選択し決定する。選択方法は、例えば、撮影に関する機能のうち、最大の温度上昇率を示すものであるとしてもよい。
【００９３】
設定部１１２は、撮影中の機能制限によって達成される温度低下率Ｒｅを式７によって算出する。
Ｒｅ＝Ｒｖ−Ｒｄ・・・（式７）
設定部１１２は、Ｒｅを満たすように、第５の実施形態における撮影開始前の機能制限における、機能制限する機能の設定方法と同様に、撮影時に機能制限する機能を決定する。
【００９４】
ここで、撮影が動画の場合であって、表示部１４に撮影される動画が表示される場合には、表示部１４に表示する機能の一部制限を制限機能として設定してもよい。
【００９５】
図１６は、本実施形態に係る制限候補の追加項目と温度低下率との関連情報の一例を示した図である。
図１６において、例えば、機能「表示（４Ｋ→２Ｋ）」は、撮影が４Ｋ解像度で行われている場合に、機能制限する機能に設定可能な制限候補である。この制限候補が制限されると、制御部１１は、画面表示を４Ｋ解像度から２Ｋ解像度に変更して表示する。また、機能「表示（４Ｋ→なし）」は、撮影が４Ｋ解像度で行われている場合に、制限する機能に設定可能な制限候補である。この制限候補が制限されると、制御部１１は、撮影中の画面表示を中止する。
設定部１１２は、図１４及び図１６に示した制限候補の中から、制限する機能を設定する。
【００９６】
以上に説明したように、本実施形態に係る撮影装置１は、温度を示す温度情報を検出する検出部（温度センサ１８）を備える。制御部１１は、温度情報に基づいて、撮影している風景を表示部１４に表示させる画像の解像度を設定する。
この構成により、撮影装置１は、例えば、ユーザが撮影しているときに撮影が禁止（例えば、ＣＰＵの温度上昇による撮影機能の禁止）されないように、機能制限を行うことができる。これにより、撮影装置１は、ユーザが撮影したいときに、撮影部１６の撮影機能を利用できる。
【００９７】
（第７の実施形態）
次に、本発明の第７の実施形態について説明する。以下、主に第１の実施形態との差異点について説明する。第１の実施形態と同一の構成については、同一の符号を付してその説明を援用する。
例えば、ユーザが撮影予定を行わない状態や、スケジュール情報を設定しない状態で、撮影機能を使おうとする場合には、予兆情報が検出されない。そのため、機能制限が行われず、撮影したい期間に撮影が行えなくなることがある。
そこで、本実施形態では、検出部１１１は、撮影を行う可能性のあるユーザの行動を検出し、撮影予定が設定された場合に、後の撮影が有ることを示す予兆情報を検出する場合について説明する。
【００９８】
以下、検出部１１１が、撮影を行う可能性のあるユーザの行動を検出し、撮影予定が設定された場合、後の撮影が有ることを示す予兆情報の検出を行う場合について説明する。
ここで、撮影を行う可能性のあるユーザの行動とは、当該ユーザの行動をユーザが行う場合に、撮影を行う可能性のあるユーザの行動を表す。記憶部１２は、撮影を行う可能性のあるユーザの行動情報を、予め記憶する。
【００９９】
図１７は、本実施形態に係る撮影を行う可能性のあるユーザの行動情報の一例を示す図である。例えば、図１７において、「カメラボタンが押下された」、「通勤ルート以外の場所に存在している」などを示すユーザの行動が、撮影を行う可能性のあるユーザの行動である。
【０１００】
検出部１１１は、ユーザの行動に関する情報を取得する。具体的には、検出部１１１は、例えば、ＧＰＳや加速度センサなどのセンサを利用して、ユーザの位置情報や行動を取得する。また、検出部１１１は、例えば、通信部１５を通じて、撮影装置１の近くにいる端末や装置に関する情報（端末や装置の所有者などの情報）を取得する。また、検出部１１１は、例えば、計時部１７を通じて、休日などの日時に関する情報を取得する。また、検出部１１１は、例えば、撮影部１６を使用する機能の起動に関する情報を取得する。
【０１０１】
検出部１１１は、取得したユーザの行動に関する情報と、撮影を行う可能性のあるユーザの行動情報とに基づいて、取得したユーザの行動が撮影を行う可能性があるユーザの行動か否かを判定する。検出部１１１は、記憶部１２から、撮影を行う可能性のあるユーザの行動情報を取得する。検出部１１１は、取得したユーザの行動に関する情報と、撮影を行う可能性のあるユーザの行動とが一致する場合には、撮影を行う可能性があるユーザの行動であると判定する。このとき、検出部１１１は、表示部１４に対して、図１８の画面を表示させる処理を行う。
【０１０２】
図１８は、本実施形態に係る撮影予定設定画面Ｄ７０の一例を示す図である。
撮影予定設定画面Ｄ７０は、ユーザが撮影予定設定を行う画面である。撮影予定設定画面Ｄ７０は、制御部１１により、表示部１４に表示される。
【０１０３】
撮影予定設定画面Ｄ７０は、撮影開始時刻設定欄Ｓ７１、撮影期間設定欄Ｓ７２、適用ボタンＢＴ７１、及びキャンセルボタンＢＴ７２を含んで構成される。
撮影開始時刻設定欄Ｓ７１は、撮影開始までの時間を設定するための入力欄である。
撮影終了時刻設定欄Ｓ７２は、撮影期間を設定するための入力欄である。
適用ボタンＢ４７１は、設定された撮影予定設定情報の適用を指示するためのボタンである。キャンセルボタンＢＴ７２は、撮影予定設定情報を更新せずに、撮影予定設定情報の設定の中止を指示するためのボタンである。
【０１０４】
入力部１３は、ユーザ操作に基づいて、各入力欄への入力、及び、各ボタンの押下に応じた入力処理を行う。例えば、図１８は、入力部１３により、撮影開始までの時間に「０：０５」が、撮影期間に「０：３０」が入力されていることを表す。
図１８の状態において、適用ボタンＢＴ７２が押下された場合、設定部１１２は、表示部１４に対して、制限機能設定画面（図３）及び制限除外機能設定画面（図４）を表示する処理を行い、制限する機能、及び制限しない機能を設定する。制限機能設定画面及び制限除外機能設定画面を表示する以降の処理については、第１の実施形態と同様であるので説明を省略する。
なお、設定部１１２は、上記の制限機能設定画面、制限除外設定画面を表示する代わりに、第５の実施形態と同様に、制限候補の温度低下率に基づいて制限する機能を設定してもよい。
【０１０５】
次に、本実施形態に係る制御部１１が行う、後の撮影の有ることを検出する検出処理及び制限機能の設定処理の一例を説明する。本実施形態に係る機能制限の設定処理の一例を示すフローチャートは、第１の実施形態に係る機能制限の設定処理の一例を示すフローチャートと同様であるので、図５を援用して説明する。
【０１０６】
（ステップＳ１０１）検出部１１１は、後の撮影が有るか否かを検出する。具体的には、検出部１１１は、取得したユーザの行動に関する情報が、撮影を行う可能性のあるユーザの行動と一致する場合、後の撮影の可能性があるユーザの行動であることを判定する。検出部１１１は、後の撮影の可能性があるユーザの行動であることを判定した場合には、撮影予定画面Ｄ７０を表示する。検出部１１１は、撮影予定画面Ｄ７０への入力が行われた場合、後の撮影が有ることを検出する（ＹＥＳ）。検出部１１１は、後の撮影が有ることを検出した場合、入力部１３から入力された撮影予定を記憶部１２に記憶する。その後、ステップＳ１０２へ進む。それ以外の場合（ＮＯ）、検出部１１１は、後の撮影がないことを検出する。この場合、検出部１１１は、ステップＳ１０１を繰り返す。
【０１０７】
（ステップＳ１０２）設定部１１２は、機能制限の設定処理を行う。第１の実施形態とは、撮影開始時刻と撮影終了時刻の設定が異なる。設定部１１２は、計時部１７から現在時刻を取得する。設定部１１２は、撮影開始時刻設定欄Ｓ７１で設定された撮影開始までの時刻と現在時刻とに基づいて、撮影開始時刻を設定する。また、設定部１１２は、撮影期間設定欄Ｓ７２に設定された撮影期間と撮影開始時刻とに基づいて、撮影終了時刻として設定する。
【０１０８】
本実施形態に係る制御部１１が行う機能制限処理の一例は、第１の実施形態と同じなので、説明を省略する。
【０１０９】
以上に説明したように、本実施形態に係る撮影装置１は、制御部１１を備える。制御部１１は、ユーザの行動に基づいて、後の撮影が有ることを示す予兆情報を検出する。
この構成により、撮影装置１は、例えば、将来、ユーザが撮影したいときに撮影が禁止（例えば、ＣＰＵの温度上昇による撮影機能の禁止）されないように、撮影前から機能制限を行うことができる。これにより、撮影装置１は、ユーザが撮影したいときに、撮影部１６の撮影機能を利用できる。
【０１１０】
以上、図面を参照してこの発明の実施形態について詳しく説明してきたが、具体的な構成は上述のものに限られることはなく、この発明の要旨を逸脱しない範囲内において様々な設計変更等をすることが可能である。
【０１１１】
なお、本発明は次の態様でも実施することができる。
（１）制御部を備える撮影装置であって、前記制御部は、後の撮影が有ることを示す予兆情報を検出した場合に、前記撮影装置の機能の少なくとも一部を制限する機能制限を示す機能制限情報に基づいて、前記後の撮影前から、前記機能制限情報が示す機能制限を行う、撮影装置。
【０１１２】
（２）前記制御部は、ユーザのスケジュール情報に基づいて、後の撮影が有ることを示す予兆情報を検出する、（１）の撮影装置。
【０１１３】
（３）前記制御部は、ユーザの行動に基づいて、後の撮影が有ることを示す予兆情報を検出する、（１）または（２）の撮影装置。
【０１１４】
（４）前記制御部は、撮影時に前記撮影装置が使用する機能情報に基づいて、前記機能制限を行う、（１）から（３）のいずれかの撮影装置。
【０１１５】
（５）前記制御部は、前記機能制限として、通信機能を優先的に制限する、（１）から（４）のいずれの撮影装置。
【０１１６】
（６）温度を示す温度情報を検出する検出部をさらに備え、前記制御部は、前記温度情報に基づいて、前記機能制限を更新する、（１）から（５）の撮影装置。
【０１１７】
（７）前記制御部は、前記温度情報に基づいて、前記撮影している風景を表示部に表示させる画像の解像度を設定する、（６）の撮影装置。
【０１１８】
（８）制御ステップを備える情報処理方法であって、前記制御ステップは、後の撮影が有ることを示す予兆情報を検出した場合に、撮影装置の機能の少なくとも一部を制限する機能制限を示す機能制限情報に基づいて、前記後の撮影前から、前記機能制限情報が示す機能制限を行う、情報処理方法。
【０１１９】
（９）制御処理を備える情報処理プログラムであって、前記制御処理は、後の撮影が有ることを示す予兆情報を検出した場合に、撮影装置の機能の少なくとも一部を制限する機能制限を示す機能制限情報に基づいて、前記後の撮影前から、前記機能制限情報が示す機能制限を行う、情報処理プログラム。
【０１２０】
なお、撮影装置１の一部、例えば、制御部１１は、コンピュータで実現するようにしてもよい。その場合、これらの機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、撮影装置１に内蔵されたコンピュータシステムであって、ＯＳ（Ｏｐｅｒａｔｉｎｇ  Ｓｙｓｔｅｍ）や周辺機器等のハードウェアを含むものとする。
【０１２１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１２２】
また、上述した実施形態における撮影装置１の一部または全部を、ＬＳＩ（Ｌａｒｇｅ  Ｓｃａｌｅ  Ｉｎｔｅｇｒａｔｉｏｎ）等の集積回路として実現してもよい。撮影装置１の一部、の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【０１２３】
また、撮影装置１は、１つの筐体によって実現される装置であっても、ネットワーク等を介して接続された複数の装置から実現されるシステムであってもよい。すなわち、撮影装置１は、本実施形態における情報処理システムの一形態である。また、撮影装置１は、機能が限定された専用の装置であってもよい。
【０１２４】
また、撮影装置１の上記各機能のうち、少なくとも１以上の機能を他の装置において実現するようにしてもよい。すなわち、撮影装置１は上記全ての機能を有している必要はなく、一部の機能を有するものであってもよい。
【符号の説明】
【０１２５】
１・・・撮影装置、１１・・・制御部、１２・・・記憶部、１３・・・入力部、１４・・・表示部、１５・・・通信部、１６・・・撮影部、１７・・・計時部、１８・・・温度センサ、１１１・・・検出部、１１２・・・設定部、１１３・・・機能制限部
【図１】
2020031383.tif 000003
【図２】
2020031383.tif 000004
【図３】
2020031383.tif 000005
【図４】
2020031383.tif 000006
【図５】
2020031383.tif 000007
【図６】
2020031383.tif 000008
【図７】
2020031383.tif 000009
【図８】
2020031383.tif 000010
【図９】
2020031383.tif 000011
【図１０】
2020031383.tif 000012
【図１１】
2020031383.tif 000013
【図１２】
2020031383.tif 000014
【図１３】
2020031383.tif 000015
【図１４】
2020031383.tif 000016
【図１５】
2020031383.tif 000017
【図１６】
2020031383.tif 000018
【図１７】
2020031383.tif 000019
【図１８】
2020031383.tif 000020